(57)【特許請求の範囲】
【請求項１】
印刷設定情報と記録材の消費の抑制に関する判断材料となる指標とが対応付けされた画像形成情報を記憶する記憶手段と、
印刷対象の印刷データに対応して前記記憶手段に記憶されている一つ以上の前記画像形成情報を表示手段に表示させる処理を実行する実行手段と、
前記表示手段に表示された一つ以上の画像形成情報の中からユーザによって選択された特定の画像形成情報を取得する第１の取得手段とを有し、
前記表示手段は、前記印刷設定情報を適用した印刷データに基づく画像を縮小した縮小画像と前記指標とを対応付けて一覧で表示する、
ことを特徴とする画像処理装置。
【請求項２】
前記印刷対象の印刷データに対するユーザによる画質調整に応じた画質調整の結果を取得する第２の取得手段と、
前記第２の取得手段が取得した画質調整の結果に基づき前記第１の取得手段が取得した特定の画像形成情報を変更する変更手段と、
変更後の前記特定の画像形成情報が予め定められた保存する条件に適合した場合に、前記印刷対象の印刷データに対応して当該特定の画像形成情報を前記記憶手段に記憶する処理手段と、
を更に備えたことを特徴とする請求項１に記載の画像処理装置。
【請求項３】
前記印刷対象の印刷データに対するユーザによる画質調整に応じた画質調整の結果を取得する取得手段と、
前記取得手段が取得した画質調整の結果に基づき前記印刷設定情報および前記印刷対象の印刷データにかかわる前記指標を生成する生成手段と、
前記生成された印刷設定情報と前記生成された指標とが対応付けられた画像形成情報が予め定められた保存する条件に適合した場合に、前記印刷対象の印刷データに対応して当該画像形成情報を前記記憶手段に記憶する処理手段と、
を更に備えたことを特徴とする請求項１に記載の画像処理装置。
【請求項４】
前記予め定められた保存する条件は、
記憶対象の画像形成情報と前記記憶手段に記憶されている一つ以上の画像形成情報とが同じ内容でない旨または近似する内容でない旨である、
ことを特徴とする請求項２または３に記載の画像処理装置。
【請求項５】
前記指標は、
前記画像形成情報に含まれる印刷設定情報にかかわる印刷データに関しての、当該印刷データを解析して得られる情報と記録材の消費量に関する情報とを含んでいる、
ことを特徴とする請求項１〜４の何れか一項に記載の画像処理装置。
【請求項６】
前記印刷データを解析して得られる情報は、
前記画像形成情報に含まれる印刷設定情報にかかわる印刷データに関しての、画像を縮小した縮小画像、画像の種類を示す画像種類情報、ＲＧＢ色空間の色毎の画像に関する画像密度、ＲＧＢ色空間の色毎の画像に関するヒストグラム、印刷に関するデフォルト設定された設定情報を当該印刷データに適用した場合のＣＭＹＫ色空間の色毎の画像に関する画像密度のうち何れかの情報を含んでいる、
ことを特徴とする請求項５に記載の画像処理装置。
【請求項７】
前記記録材の消費量に関する情報は、
前記印刷設定情報を当該印刷設定情報にかかわる印刷データに適用した場合のＣＭＹＫ色空間の色毎の画像に関する画像密度、前記印刷設定情報を当該印刷設定情報にかかわる印刷データに適用した場合のＣＭＹＫ色空間の色毎の画像に関するヒストグラムのうち何れかの情報を含んでいる、
ことを特徴とする請求項５に記載の画像処理装置。
【請求項８】
印刷設定情報と記録材の消費の抑制に関する判断材料となる指標とが対応付けされた画像形成情報を記憶手段に記憶させる記憶処理過程と、
印刷対象の印刷データに対応して前記記憶手段に記憶されている一つ以上の前記画像形成情報を表示手段に表示させる処理を実行する実行処理過程と、
前記表示手段に表示された一つ以上の画像形成情報の中からユーザによって選択された特定の画像形成情報を取得する第１の取得過程とをコンピュータに実行させ、
前記表示手段は、前記印刷設定情報を適用した印刷データに基づく画像を縮小した縮小画像と前記指標とを対応付けて一覧で表示する、
ことを特徴とする画像処理プログラム。
【発明の詳細な説明】
【技術分野】
【０００１】
本発明は、画像処理装置、画像処理プログラムに関するものである。
【背景技術】
【０００２】
コンピュータで動作するプリンタドライバには、印刷データをプリンタで印刷させる場合に、ドラフトモードやトナーセーブモードなど特定のモードを指定することにより、記録材（トナーやインクなど）の消費を抑制させる機能を有しているものもある。
【０００３】
また、プリンタには明度や彩度など所望の画質を得るための画質調整機能が搭載されているものもあり、このようなプリンタにおいては、ユーザが画質調整機能を使用して明度や彩度などの値を調整することにより、その画質調整の結果によっては記録材の消費が抑制される。
【０００４】
さらに、画像形成装置には、画像形成のときの印刷設定情報やトナー使用量など過去の画像形成にかかわる情報を保存しておき、新たな画像形成のときに前記保存されている情報を再利用するものもある（例えば、特許文献１参照。）。
【０００５】
この特許文献１では、画像形成装置は、過去の画像形成ジョブに対するジョブ設定情報（転写紙サイズ、出力部数、片面／両面印刷など）、画像率及びトナー使用量を含むジョブ情報とこれに対応して付与された名称とを記憶しておき、新たな画像形成ジョブに対する画像形成条件の設定のときに、記憶されている一つ以上のジョブ情報を表示する。そして、ユーザは、表示された一つ以上のジョブ情報の中から特定のジョブ情報を選択する。
【先行技術文献】
【特許文献】
【０００６】
【特許文献１】特開２００７−０１９７２７号公報
【発明の概要】
【発明が解決しようとする課題】
【０００７】
本発明は、印刷対象の印刷データに対応して記録材の所望の消費量に応じた画質情報を迅速に設定することのできる画像処理装置、画像処理プログラムを提供することを目的とする。
【課題を解決するための手段】
【０００８】
上記課題を解決するため、請求項１に記載の本発明の画像処理装置は、印刷設定情報と記録材の消費の抑制に関する判断材料となる指標とが対応付けされた画像形成情報を記憶する記憶手段と、印刷対象の印刷データに対応して前記記憶手段に記憶されている一つ以上の前記画像形成情報を表示手段に表示させる処理を実行する実行手段と、前記表示手段に表示された一つ以上の画像形成情報の中からユーザによって選択された特定の画像形成情報を取得する第１の取得手段とを有し、前記表示手段は、前記印刷設定情報を適用した印刷データに基づく画像を縮小した縮小画像と前記指標とを対応付けて一覧で表示する、ことを特徴とする。
【０００９】
請求項２に記載の発明は、上記請求項１に記載の発明において、前記印刷対象の印刷データに対するユーザによる画質調整に応じた画質調整の結果を取得する第２の取得手段と、前記第２の取得手段が取得した画質調整の結果に基づき前記第１の取得手段が取得した特定の画像形成情報を変更する変更手段と、変更後の前記特定の画像形成情報が予め定められた保存する条件に適合した場合に、前記印刷対象の印刷データに対応して当該特定の画像形成情報を前記記憶手段に記憶する処理手段と、を更に備えたことを特徴とする。
【００１０】
請求項３に記載の発明は、上記請求項１に記載の発明において、前記印刷対象の印刷データに対するユーザによる画質調整に応じた画質調整の結果を取得する取得手段と、前記取得手段が取得した画質調整の結果に基づき前記印刷設定情報および前記印刷対象の印刷データにかかわる前記指標を生成する生成手段と、前記生成された印刷設定情報と前記生成された指標とが対応付けられた画像形成情報が予め定められた保存する条件に適合した場合に、前記印刷対象の印刷データに対応して当該画像形成情報を前記記憶手段に記憶する処理手段と、を更に備えたことを特徴とする。
【００１１】
請求項４に記載の発明は、上記請求項２または３に記載の発明において、前記予め定められた保存する条件は、記憶対象の画像形成情報と前記記憶手段に記憶されている一つ以上の画像形成情報とが同じ内容でない旨または近似する内容でない旨である、ことを特徴とする。
【００１２】
請求項５に記載の発明は、上記請求項１〜４の何れか一項に記載の発明において、前記指標は、前記画像形成情報に含まれる印刷設定情報にかかわる印刷データに関しての、当該印刷データを解析して得られる情報と記録材の消費量に関する情報とを含んでいる、ことを特徴とする。
【００１３】
請求項６に記載の発明は、上記請求項５に記載の発明において、前記印刷データを解析して得られる情報は、前記画像形成情報に含まれる印刷設定情報にかかわる印刷データに関しての、画像を縮小した縮小画像、画像の種類を示す画像種類情報、ＲＧＢ色空間の色毎の画像に関する画像密度、ＲＧＢ色空間の色毎の画像に関するヒストグラム、印刷に関するデフォルト設定された設定情報を当該印刷データに適用した場合のＣＭＹＫ色空間の色毎の画像に関する画像密度のうち何れかの情報を含んでいる、ことを特徴とする。
【００１４】
請求項７に記載の発明は、上記請求項５に記載の発明において、前記記録材の消費量に関する情報は、前記印刷設定情報を当該印刷設定情報にかかわる印刷データに適用した場合のＣＭＹＫ色空間の色毎の画像に関する画像密度、前記印刷設定情報を当該印刷設定情報にかかわる印刷データに適用した場合のＣＭＹＫ色空間の色毎の画像に関するヒストグラムのうち何れかの情報を含んでいる、ことを特徴とする。
【００１５】
上記課題を解決するため、請求項８に記載の本発明の画像処理プログラムは、印刷設定情報と記録材の消費の抑制に関する判断材料となる指標とが対応付けされた画像形成情報を記憶手段に記憶させる記憶処理過程と、印刷対象の印刷データに対応して前記記憶手段に記憶されている一つ以上の前記画像形成情報を表示手段に表示させる処理を実行する実行処理過程と、前記表示手段に表示された一つ以上の画像形成情報の中からユーザによって選択された特定の画像形成情報を取得する第１の取得過程とをコンピュータに実行させ、前記表示手段は、前記印刷設定情報を適用した印刷データに基づく画像を縮小した縮小画像と前記指標とを対応付けて一覧で表示する、ことを特徴とする。
【発明の効果】
【００１６】
請求項１記載の発明によれば、印刷対象の印刷データに対応して記録材の所望の消費量に応じた画質情報を迅速に設定することができる。
【００１７】
請求項２記載の発明によれば、今回の印刷対象の印刷データに対応してユーザによって選択され画質調整された結果に応じて内容が変更された特定の画像形成情報を次回の印刷対象の印刷データに対応する画像形成情報の候補として表示することができる。
【００１８】
請求項３記載の発明によれば、今回の印刷対象の印刷データに対応して生成された画像形成情報を次回の印刷対象の印刷データに対応する画像形成情報の候補として表示することができる。
【００１９】
請求項４記載の発明によれば、内容が近似する画像形成情報が重複して記憶手段に記憶されるのを抑制することができる。
【００２０】
請求項５記載の発明によれば、ユーザは表示される複数の画像形成情報の中から印刷データを解析して得られる情報あるいは記録材の消費量に関する情報を参考にして所望の画像形成情報を選択することができる。
【００２１】
請求項６記載の発明によれば、ユーザは表示される複数の画像形成情報の中から印刷データを解析して得られる情報あるいは記録材の消費量に関する情報を参考にして所望の画像形成情報を選択することができる。
【００２２】
請求項７記載の発明によれば、ユーザは表示される複数の画像形成情報の中から印刷データを解析して得られる情報あるいは記録材の消費量に関する情報を参考にして所望の画像形成情報を選択することができる。
【００２３】
請求項８記載の発明によれば、印刷対象の印刷データに対応して記録材の所望の消費量に応じた画質情報を迅速に設定させるソフトウェアを提供することができる。
【図面の簡単な説明】
【００２４】
【図１】第１の実施の形態に係わる画像処理装置の機能を示すブロック図である。
【図２】第１の実施の形態に係わる画像形成情報のデータ構造の一例を示す図である。
【図３】第１の実施の形態に係わる画像処理装置の画像解析部の詳細な機能を示すブロック図である。
【図４】第１の実施の形態に係わる画像処理装置の変更部の詳細な機能を示すブロック図である。
【図５】第１の実施の形態に係わる画像処理装置の印刷設定処理の処理手順を示すフローチャートである。
【図６】第１の実施の形態に係わる画像処理装置の画像処理部により提供される印刷設定プロパティの一例を示す図である。
【図７】第１の実施の形態に係わる画像処理装置の画像処理部により提供されるプリセット選択画面の一例を示す図である。
【図８】第１の実施の形態に係わる画像処理装置の画像処理部により提供される画質調整画面としての印刷設定プロパティの一例を示す図である。
【図９】第１の実施の形態に係わる画像処理装置の画像処理部により提供されるプリセット選択画面の他の例を示す図である。
【図１０】第１の実施の形態に係わる画像処理装置のハードウェア構成を示す構成図である。
【図１１】第２の実施の形態に係わる画像処理装置の画像処理部によるプリセット保存処理の処理手順を示すフローチャートである。
【図１２】第３の実施の形態に係わる画像処理装置の画像処理部によるプリセット保存処理の処理手順を示すフローチャートである。
【図１３】第３の実施の形態に係わる２つのヒストグラムの差分について説明する図である。
【図１４】第４の実施の形態に係わる画像処理装置の画像処理部によるプリセット保存処理の処理手順を示すフローチャートである。
【発明を実施するための形態】
【００２５】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２６】
（第１の実施の形態）
【００２７】
第１の実施の形態に係わる画像処理装置について説明する。
【００２８】
画像処理装置１０は、例えばコンピュータであり、図１に示すように、画像処理部１００、デフォルト印刷設定情報記憶部１０１、プリセット記憶部１０２、グラフィカルユーザインタフェース（以下「ＧＵＩ」という。）１０３、入力部１０４および表示部１０５を有している。
【００２９】
デフォルト印刷設定情報記憶部１０１は、印刷に関するデフォルト設定された設定情報（以下「デフォルト印刷設定情報」という。）を記憶している。
【００３０】
プリセット記憶部１０２は、記憶手段の機能を有し、印刷設定情報と記録材の消費の抑制に関する判断材料となる指標とが対応付けされた画像形成情報を記憶する。
【００３１】
印刷設定情報は、記録媒体としての例えば用紙の用紙サイズ、カラーモード（白黒、カラー）、出力部数、用紙の向き、片面印刷または両面印刷、画質情報などを含んでいる。
【００３２】
画質情報は、明度、彩度、色相、カラーバランスなどの値を示すパラメータを含んでいる。
【００３３】
なお、画像形成情報がプリセット記憶部１０２に記憶される場合、デフォルト印刷設定情報の各設定項目のうち少なくとも一つの設定項目の値が変更された場合には当該変更後のデフォルト印刷設定情報が、またデフォルト印刷設定情報の全ての設定項目の値が変更されない場合は当該デフォルト印刷設定情報が印刷設定情報となる。
【００３４】
記録材の消費の抑制に関する判断材料となる指標は、画像形成情報に含まれる印刷設定情報にかかわる印刷データに関しての、当該印刷データを解析して得られる情報と記録材の消費量に関する情報とを含んでいる。
【００３５】
印刷データを解析して得られる情報（以下「印刷データ解析情報」という。）は、画像形成情報に含まれる印刷設定情報にかかわる印刷データに関しての、画像を縮小した縮小画像、画像の種類を示す画像種類情報、ＲＧＢ色空間の色毎の画像に関する画像密度（以下「ＲＧＢ画像密度」という。）、ＲＧＢ色空間の色毎の画像に関するヒストグラム（以下「ＲＧＢヒストグラム」という）、デフォルト印刷設定情報を当該印刷データに適用した場合のＣＭＹＫ色空間の色毎の画像に関する画像密度（以下「ＣＭＹＫ画像密度」という。）のうち何れかの情報を含んでいる。
【００３６】
記録材の消費量に関する情報は、印刷設定情報を当該印刷設定情報にかかわる印刷データに適用した場合のＣＭＹＫ色空間の色毎の画像に関する画像密度（ＣＭＹＫ画像密度）、印刷設定情報を当該印刷設定情報にかかわる印刷データに適用した場合のＣＭＹＫ色空間の色毎の画像に関するヒストグラム（以下「ＣＭＹＫヒストグラム」という。）のうち何れかの情報を含んでいる。
【００３７】
画像の種類としては例えば文字、文字写真および写真の３種類があり、画像種類情報は３種類中の何れかの種類を示す情報である。なお、文字写真とは、文字と写真とが含まれているものである。
【００３８】
ＲＧＢ色空間は、赤（Ｒ）、緑（Ｇ）、青（Ｂ）の各色（以下「ＲＧＢ色」という。）で表現される色空間である。
【００３９】
ＣＭＹＫ色空間は、シアン（Ｃ）、マゼンタ（Ｍ）、イエロー（Ｍ）およびブラック（Ｋ）の各色（以下「ＣＭＹＫ色」という。）で表現される色空間である。
【００４０】
上述した印刷設定情報と記録材の消費の抑制に関する判断材料となる指標とが対応付けされた画像形成情報は、予め記憶（設定）された情報を意味する。そのため、本願明細書では、画像形成情報を「プリセット」と定義する。
【００４１】
また、本願明細書では、記録材はトナーを想定しているので、記録材の消費量に関する情報をトナー消費量情報と定義する。もちろん、記録材はトナーに限定されることなく、インクを適用してもよい。
【００４２】
ここで、画像形成情報（プリセット）のデータ構造の一例を図２に示す。
【００４３】
画像形成情報つまりプリセットは、図２に示すように、プリセット名、縮小印刷データ、画像種類、ＲＧＢ画像密度、ＲＧＢヒストグラム、デフォルト設定適用時のＣＭＹＫ画像密度、印刷設定情報、印刷設定適用時のＣＭＹＫ画像密度、印刷設定適用時のＣＭＹＫヒストグラム、および記録材の消費率を有するデータ構造になっている。
【００４４】
プリセット名とは、プリセットに付与された名称つまりプリセットに対してシステム（画像処理部１００）またはユーザによって付与される名称である。
【００４５】
デフォルト設定適用時のＣＭＹＫ画像密度とは、デフォルト印刷設定情報に基づき画像処理された後の画像に関するＣＭＹＫ画像密度である。
【００４６】
印刷設定適用時のＣＭＹＫ画像密度とは、印刷設定情報に基づき画像処理された後の画像に関するＣＭＹＫ画像密度である。
【００４７】
印刷設定適用時のＣＭＹＫヒストグラムとは、印刷設定情報に基づき画像処理された後の画像に関するＣＭＹＫヒストグラムである。
【００４８】
記録材の消費率とは、｛（印刷設定適用時のＣＭＹＫ画像密度／デフォルト設定適用時のＣＭＹＫ画像密度）×１００｝を演算して得られる値である。
【００４９】
縮小画像（縮小画像データ）、画像種類、ＲＧＢ画像密度、ＲＧＢヒストグラム、および印刷設定情報は、上述した内容の通りである。なお、図２に示すデータ構造ではプリセット名を含むプリセットとしているが、これに限定されることなく、プリセット名を含まないプリセットとするようにしてもよい。
【００５０】
再度、図１を参照して説明する。画像処理部１００は、データ読込部１１０、画像解析部１２０、プリセット読込部１３０、実行部１４０、選択プリセット取得部１５０、画質調整結果取得部１６０、変更部１７０、トナー消費率算出部１８０、プリセット記憶処理部１９０および画像出力部２００を有している。
【００５１】
データ読込部１１０は、アプリケーションソフトウェア１０６から印刷指示があった場合に、アプリケーションソフトウェア１０６から、印刷指示された印刷対象のＲＧＢの印刷データを読み込む。
【００５２】
画像解析部１２０は、データ読込部１１０によって読み込まれたＲＧＢの印刷データを解析し、上述した印刷データを解析して得られる情報を求める。画像解析部１２０の詳細な機能については後述する。
【００５３】
プリセット読込部１３０は、プリセット記憶部１３０に記憶されている一つ以上のプリセット（全てのプリセット）を読み込む。
【００５４】
実行部１４０は、実行手段の機能を有し、印刷対象の印刷データに対応して、プリセット読込部１３０によって読み込まれた全てのプリセット（プリセット記憶部１３０に記憶されている一つ以上のプリセット）に対応するプリセットに関する情報（以下「プリセット情報」という。）を、ＧＵＩ１０３を介して表示部１０５に表示させる処理を実行する。この場合、表示部１０５に表示される全てのプリセット情報は、印刷対象の印刷データに対応するプリセットの候補となる。
【００５５】
選択プリセット取得部１５０は、第１の取得手段の機能を有し、ＧＵＩ１０３を介して、表示部１０５に表示された一つ以上のプリセットに対応するプリセット情報の中からユーザによる入力部１０４の操作よって選択された特定のプリセット情報を取得する。
【００５６】
また、選択プリセット取得部１５０は、プリセット読込部１３０によって読み込まれた全てのプリセットの中から、上記取得した特定のプリセット情報に対応する特定のプリセットを取得する。選択プリセット取得部１５０によって取得された特定のプリセットは変更部１７０に与えられる。
【００５７】
画質調整結果取得部１６０は、第２の取得手段の機能を有し、ＧＵＩ１０３を介して、上記印刷データに対するユーザによる画質調整に応じた画質調整の結果を取得する。この画質調整は、表示部１０５に表示される印刷設定プロパティ（画質調整画面）の各設定値の中の所望の設定値についてユーザによる入力部１０４の操作よって変更することにより行われる。画質調整結果取得部１６０によって取得された画質調整の結果は変更部１７０に与えられる。
【００５８】
変更部１７０は、変更手段の機能を有し、画質調整結果取得部１６０からの画質調整の結果（画質調整結果取得部１６０が取得した画質調整の結果）に基づき、選択プリセット取得部１５０からの特定のプリセット（選択プリセット取得部１５０が取得した特定のプリセット）を変更する。変更部１７０の詳細な機能については後述する。
【００５９】
トナー消費率算出部１８０は、次の式を演算することで上記印刷データにかかわるトナーの消費率（以下「トナー消費率」という。）を算出する。
【００６０】
トナー消費率（％）＝｛（印刷設定適用時のＣＭＹＫ画像密度／デフォルト設定適用時のＣＭＹＫ画像密度）×１００｝を演算して得られる値である。
【００６１】
プリセット記憶処理部１９０は、処理手段の機能を有し、変更部１７０によって変更された変更後の特定のプリセットが予め定められた保存する条件に適合した場合に、上記印刷データに対応して当該特定のプリセットをプリセット記憶部１０２に記憶する処理を実行する。
【００６２】
また、プリセット記憶処理部１９０は、特定のプリセット内の印刷設定情報、および当該印刷設定情報に対応する印刷対象の印刷データを画像出力部２００へ出力する。
【００６３】
画像出力部２００は、プリセット記憶処理部１９０からの上記印刷データおよび印刷設定情報を印刷ジョブとして、図示しないプリンタに向けて出力して印刷要求を行う。
【００６４】
次に、画像解析部１２０の詳細な機能構成について、図３を参照して説明する。
【００６５】
画像解析部１２０は、図３に示すように、処理部１２１、縮小画像生成部１２２、画像種類判別部１２３、ＲＧＢ画像密度算出部１２４、ＲＧＢヒストグラム作成部１２５、およびＣＭＹＫ画像密度算出部１２６を有している。
【００６６】
処理部１２１は、初期状態の印刷設定情報（つまりデフォルト印刷設定情報）と印刷対象のＲＧＢの印刷データとに基づき予め定められた処理を実施するとともに、画質調整が行われた場合の印刷設定情報（デフォルト印刷設定情報の値が変更された場合の変更後のデフォルト印刷設定情報つまり印刷設定情報）と前記ＲＧＢの印刷データとに基づき予め定められた処理を実施する。
【００６７】
すなわち、処理部１２１は、初期状態の印刷設定と印刷対象のＲＧＢの印刷データとに基づき、次の（１）〜（４）の各処理を実施する。
【００６８】
（１）処理部１２１は、デフォルト印刷設定情報記憶部１０１からデフォルト印刷設定情報を読み出すとともに、データ読込部１１０によって読み込まれた印刷対象のＲＧＢの印刷データに対し、前記読み出したデフォルト印刷設定情報の中の画質情報（画質に関する設定項目の値）に基づき画像処理を実行する。この画像処理により、画質情報（画質に関する設定項目の値）が反映されたＲＧＢの印刷データとなる。このＲＧＢの印刷データは、ＲＧＢヒストグラム作成部１２５に与えられる。
【００６９】
（２）処理部１２１は、上記（１）の処理（画像処理）の結果であるＲＧＢの印刷データを基にＲＧＢ色の色毎の出力プレーン情報（ビットマスク）を生成する。このＲＧＢ色の色毎の出力プレーン情報はＲＧＢ画像密度算出部１２４に与えられる。
【００７０】
（３）処理部１２１は、上記（１）の処理（画像処理）の結果であるＲＧＢの印刷データに対し、色空間変換用の多次元（３次元など）のルックアップテーブル（ＬＵＴ）に基づきＲＧＢ色空間からＣＭＹＫ色空間に色変換する色変換処理を実行するとともに、色変換処理後のＣＭＹＫ色空間の印刷データに対し、階調再現曲線（ＴＲＣ）に基づき階調補正する階調補正処理を実行する。この処理の結果はＣＭＹＫの印刷データである。
【００７１】
（４）処理部１２１は、デフォルト印刷設定情報に基づき画像処理された後の画像すなわち上記（３）の処理を施した印刷データ（ＣＭＹＫの印刷データ）を基に、ＣＭＹＫ色の色毎の出力プレーン情報（ビットマスク）を生成する。このＣＭＹＫ色の色毎の出力プレーン情報は、ＣＭＹＫ画像密度算出部１２６に与えられる
【００７２】
縮小画像生成部１２２は、印刷対象のＲＧＢの印刷データを基に、当該印刷データに基づく画像を予め定められた画像サイズに縮小した縮小画像を生成する。
【００７３】
画像種類判別部１２３は、印刷対象のＲＧＢの印刷データを基に、当該ＲＧＢの印刷データ中のグラフィックス（広義のグラフィックス）とイメージとの割合を算出し、この算出した結果（広義のグラフィックスを印刷すべき領域とイメージを印刷すべき領域との割合）を基に画像の種類を判別する。本願明細書において、グラフィックス（広義のグラフィックス）は、狭義のグラフィックス（図形など）および文字の少なくとも一方の要素を含むものとする。
【００７４】
具体的には、画像種類判別部１２３は、「広義のグラフィックスを印刷すべき領域＞イメージを印刷すべき領域」の場合には「文字」が、「広義のグラフィックスを印刷すべき領域＝イメージを印刷すべき領域」の場合には「文字写真」が、「広義のグラフィックスを印刷すべき領域＜イメージを印刷すべき領域」の場合は「写真」が、それぞれ画像種類であると判別する。
【００７５】
なお、「広義のグラフィックスを印刷すべき領域＞イメージを印刷すべき領域」の関係において、広義のグラフィックスの内容が、文字および狭義のグラフィックスを含む内容、狭義のグラフィックスのみの内容、文字のみの内容の何れの場合であっても、画像種類は「文字」として判別されるようになっている。
【００７６】
ＲＧＢ画像密度算出部１２４は、処理部１２１からのＲＧＢ色の色毎の出力プレーン情報を基にＲＧＢ画像密度を算出する。
【００７７】
ちなみに、ＲＧＢ色空間のＲＧＢ色で表現される画像（ＲＧＢ画像）Ａに関し、Ｒ色の画像Ａに関する画像密度をＲａ、Ｇ色の画像Ａに関する画像密度をＧａ、Ｂ色の画像Ａに関する画像密度をＧａとした場合、ＲＧＢ画像密度算出部１２４は、次の数１の式を演算することでＲＧＢ画像密度を算出する。ただし、ＲＧＢ画像Ａの画像サイズは、横＝ｗｉｄｔｈ、縦＝ｈｅｉｇｈｔとする。
【数１】
0005553139.tif 000002
【００７８】
ここで、ＰＲ（ｘ，ｙ）は画像Ａの座標（ｘ，ｙ）の画素のＲ色の値を示し、ＰＧ（ｘ，ｙ）は画像Ａの座標（ｘ，ｙ）の画素のＧ色の値を示し、ＰＢ（ｘ，ｙ）は画像Ａの座標（ｘ，ｙ）の画素のＢ色の値を示す。
【００７９】
ＲＧＢヒストグラム作成部１２５は、処理部１２１からのＲＧＢの印刷データを基にＲＧＢヒストグラムを作成する。
【００８０】
ＣＭＹＫ画像密度算出部１２６は、処理部１２１からのＣＭＹＫ色の色毎の出力プレーン情報を基にデフォルト設定適用時のＣＭＹＫ画像密度を算出する。
【００８１】
ちなみに、ＣＭＹＫ色空間のＣＭＹＫ色で表現される画像（ＣＭＹＫ画像）Ａに関し、Ｃ色の画像Ａに関する画像密度をＣａ、Ｍ色の画像Ａに関する画像密度をＭａ、Ｙ色の画像Ａに関する画像密度をＹａ、Ｋ色の画像Ａに関する画像密度をＫａとした場合、ＣＭＹＫ画像密度算出部１２６は、次の数２の式を演算することでＣＭＹＫ画像密度を算出する。ただし、ＣＭＹＫ画像Ａの画像サイズは、横＝ｗｉｄｔｈ、縦＝ｈｅｉｇｈｔとする。
【数２】
0005553139.tif 000003
【００８２】
ここで、Ｐｃ（ｘ，ｙ）は画像Ａの座標（ｘ，ｙ）の画素のＣ色の値を示し、ＰＭ（ｘ，ｙ）は画像Ａの座標（ｘ，ｙ）の画素のＭ色の値を示し、ＰＹ（ｘ，ｙ）は画像Ａの座標（ｘ，ｙ）の画素のＹ色の値を示し、ＰＫ（ｘ，ｙ）は画像Ａの座標（ｘ，ｙ）の画素のＫ色の値を示す。
【００８３】
ところで、縮小画像生成部１２２によって生成された縮小画像、画像種類判別部１２３によって判別された画像種類、ＲＧＢ画像密度算出部１２４によって算出されたＲＧＢ画像密度、ＲＧＢヒストグラム作成部１２５によって作成されたＲＧＢヒストグラム、ＣＭＹＫ画像密度算出部１２６によって算出されたデフォルト設定適用時のＣＭＹＫ画像密度は、それぞれプリセット記憶処理部１９０に与えられる。
【００８４】
また、デフォルト設定適用時のＣＭＹＫ画像密度は、トナー消費率算出部１８０にも与えられる。
【００８５】
次に、変更部１７０の詳細な機能構成について、図４を参照して説明する。
【００８６】
変更部１７０は、図４に示すように、処理部１７１、ＣＭＹＫ画像密度算出部１７２およびＣＭＹＫヒストグラム作成部１７３を有している。
【００８７】
処理部１７１は、データ読込部１１０によって読み込まれた上記印刷対象のＲＧＢの印刷データに対する画質調整（明度、色彩、色相などの画質調整）が行われた場合の印刷設定情報と上記ＲＧＢの印刷データとに基づき、次の（５）〜（７）の各処理を実施する。
【００８８】
（５）処理部１７１は、画質調整結果取得部１６０からの画質調整の結果に基づき選択プリセット取得部１５０からの特定のプリセットに含まれる印刷設定情報の中の画質情報（画質に関する設定項目の値）を変更するとともに、画質調整後のＲＧＢの印刷データに対し、前記変更後の印刷設定情報の中の画質情報（画質に関する設定項目の値）に基づき画像処理を実行する。この画像処理により、画質調整の結果が反映されたＲＧＢの印刷データとなる。
【００８９】
なお、処理部１７１は、ユーザによってプリセットが選択されない状態（選択プリセット取得部１５０からの特定のプリセットを取得しない状態）で、画質調整結果取得部１６０からの画質調整の結果を取得した場合は、次の処理を実施する。
【００９０】
すなわち、処理部１７１は、デフォルト印刷設定情報記憶部１０１からデフォルト印刷設定情報を読み出し、上記取得した画質調整の結果に基づき前記読み出したデフォルト印刷設定情報の中の画質情報（画質に関する設定項目の値）を変更するとともに、画質調整後のＲＧＢの印刷データに対し、前記変更後のデフォルト印刷設定情報の中の画質情報（画質に関する設定項目の値）に基づき画像処理を実行する。この画像処理により、画質調整の結果が反映されたＲＧＢの印刷データとなる。
【００９１】
（６）処理部１７１は、上記（５）の処理（画像処理）の結果であるＲＧＢの印刷データに対し、処理部１２１による上記（３）の処理の場合と同様に、ＲＧＢ色空間からＣＭＹＫ色空間に色変換する色変換処理を実行するとともに、色変換処理後のＣＭＹＫ色空間の印刷データに対し、階調再現曲線（ＴＲＣ）に基づき階調補正する階調補正処理を実行する。この処理の結果は、ＣＭＹＫの印刷データであり、ＣＭＹＫヒストグラム作成部１７３に与えられる。
【００９２】
（７）処理部１７１は、変更後の印刷設定情報に基づき画像処理された後の画像すなわち上記（６）の処理を施した印刷データ（ＣＭＹＫの印刷データ）を基に、ＣＭＹＫ色の色毎の出力プレーン情報（ビットマスク）を生成する。このＣＭＹＫ色の色毎の出力プレーン情報はＣＭＹＫ画像密度算出部１７２に与えられる
【００９３】
ＣＭＹＫ画像密度算出部１７２は、印刷対象のＣＭＹＫの印刷データにかかわる印刷設定情報（変更後の印刷設定情報も含む）を適用した場合の印刷設定適用時のＣＭＹＫ画像密度を算出する。具体的には、ＣＭＹＫ画像密度算出部１７２は、処理部１７１から出力されるＣＭＹＫ色の色毎の出力プレーン情報を基に印刷設定適用時のＣＭＹＫ画像密度を算出する。この場合、ＣＭＹＫ画像密度算出部１７２０は、上記数２の式を演算することにより、印刷設定適用時のＣＭＹＫ画像密度を算出する。このようにして算出された印刷設定適用時のＣＭＹＫ画像密度は、トナー消費率算出部１８０およびプリセット記憶処理部１９０に与えられる。
【００９４】
ＣＭＹＫヒストグラム作成部１７３は、印刷対象のＣＭＹＫの印刷データにかかわる印刷設定情報（変更後の印刷設定情報も含む）を適用した場合の印刷設定適用時のＣＭＹＫヒストグラムを作成する。具体的には、ＣＭＹＫヒストグラム作成部１７３は、処理部１７１から出力されるＣＭＹＫの印刷データを基にＣＭＹＫヒストグラムを作成する。このようにして作成された印刷設定適用時のＣＭＹＫヒストグラムはプリセット記憶処理部１９０に与えられる。
【００９５】
ＧＵＩ１０３は、グラフィカルユーザインタフェース（ＧＵＩ）の機能を有し、例えばプリケーションソフトウェア１０６により提供される印刷ダイアログ（プロパティ）や画像処理部１００によって提供される印刷設定プロパティなど表示情報を表示部１０５へ出力するとともに、印刷ダイアログや印刷設定プロパティに対して入力された入力情報を画像処理部１００へ出力する。
【００９６】
入力部１０４は、例えば入力装置であり、例えば表示部１０５に表示された印刷ダイアログや印刷設定プロパティに対して印刷設定を行う旨や印刷する旨の指示、選択肢の選択など入力情報を入力する。
【００９７】
表示部１０５は、例えば表示装置であり、ＧＵＩ１０３からの印刷ダイアログや印刷設定プロパティなど表示情報を表示する。
【００９８】
なお、第１の実施の形態では、画像解析部１２０と変更部１７０とが協働することで、生成手段の機能を果たし、取得手段の機能を果たす画質調整結果取得部１６０が取得した画質調整の結果に基づき、印刷設定情報および印刷対象の印刷データにかかわる上記指標を生成する。
【００９９】
また、第１の実施の形態では、画像処理部１００はプリンタドライバを想定している。しかし、画像処理部１００は、プリンタドライバに限定されるものではなく、専用のソフトウェア、ファームウェア、またはハードウェアで構成するようにしてもよい。
【０１００】
次に、画像処理装置１０の印刷設定処理について、図５を参照して説明する。
【０１０１】
画像処理装置１０で動作中のアプリケーションソフトウェア１０５から印刷指示があると、プリンタドライバとしての画像処理部１００では、データ読込部１１０は、アプリケーションソフトウェア１０６から、印刷指示された印刷対象のＲＧＢの印刷データを読み込み（ステップＳ１０１）、読み込んだＲＧＢの印刷データを画像解析部１２０へ出力する。
【０１０２】
画像解析部１２０は、データ読込部１１０からのＲＧＢの印刷データを受け取った場合に、その印刷データを解析し、この解析した結果を基に印刷データ解析情報を求める（ステップＳ１０２）。
【０１０３】
すなわち、画像解析部１２０では、縮小画像生成部１２２による縮小画像の生成処理、画像種類判別部１２３による画像種類の判別処理、ＲＧＢ画像密度算出部１２４によるＲＧＢ画像密度の算出処理、ＲＧＢヒストグラム作成部１２５によるＲＧＢヒストグラムの作成、ＣＭＹＫ画像密度算出部１２６によるＣＭＹＫ画像密度の算出処理がそれぞれ実施される。
【０１０４】
そして、縮小画像生成部１２２によって生成された縮小画像、画像種類判別部１２３によって判別された画像種類、ＲＧＢ画像密度算出部１２４によって算出されたＲＧＢ画像密度、ＲＧＢヒストグラム作成部１２５によって作成されたＲＧＢヒストグラム、ＣＭＹＫ画像密度算出部１２６によって算出されたデフォルト設定適用時のＣＭＹＫ画像密度は、それぞれプリセット記憶処理部１９０に与えられる。
【０１０５】
上述した印刷データの解析が終了すると、プリセット読込部１３０は、プリセット記憶部１０２から一つ以上のプリセット（全てのプリセット）を読み込む。
【０１０６】
次に、実行部１４０は、上記読み込まれた全てのプリセットのそれぞれに対応するプリセット情報を表示することを含む印刷プロパティ（印刷設定画面）を、ＧＵＩ１０３を介して表示部１０５に表示する（ステップＳ１０３）。
【０１０７】
ここで、印刷設定プロパティの一例を図６に示す。図６に示す印刷設定プロパティ３００は、「グラフィックス」３０１の項目（タブ）が選択された場合の画質調整画面（画質情報を変更するための画面）を示している。
【０１０８】
ユーザは、プリセットを利用（再利用）したい場合には、入力部１０４を操作して、「プリセット選択する」３１０の項目に対応する設定欄３２０を選択し（設定欄３２０にチェックを入れ）、その後、「ＯＫ」ボタン３３０を押下する。
【０１０９】
ちなみに、ユーザは、プリセットを利用（再利用）しない場合は、デフォルト印刷設定情報の中の画質情報の値を変更する「画質調整」３４０あるいは「カラーバランス」３５０の項目を選択する。
【０１１０】
さて、設定欄３２０が選択され（設定欄３２０がチェックされ）、「ＯＫ」ボタン３３０が押下されると、印刷設定プロパティ３００の内容がＧＵＩ１０３を介して画像処理部１００に与えられるので、画像処理部１００では、実行部１４０は、プリセット読込部１３０によって読み込まれた全てのプリセットの中の特定のプリセットを選択（再利用）して印刷設定するためのプリセット選択画面を、ＧＵＩ１０３を介して表示部１０５に表示する。
【０１１１】
ここで、プリセット選択画面の一例を図７に示す。
【０１１２】
図７に示すプリセット選択画面４００では、プリセット名と縮小画像と画像情報とが対応するプリセット情報が一覧表示されている。
【０１１３】
例えば、プリセット名＝プリセット１に対応するプリセット情報は、プリセット名４１０（プルセット名＝プリセット１）、縮小画像４２０および画像情報４３０から構成されている。
【０１１４】
画像情報４３０は、画像種類４３１、設定４３２およびトナー消費率４３３の各項目から構成されている。この例では、画像種類＝「文字写真」、設定＝「明度＋５０」およびトナー消費率＝「７０％」から構成されている。
【０１１５】
設定４３２の項目は、明度、彩度、コントラスト、色相など画質に関する設定項目の中で画質調整された設定項目と画質調整量を示している。この例では、設定４３２の項目の調整値（設定＝「明度＋５０」）は、明度の設定項目の値に関して標準値「０」（デフォルト設定値「０」）からの画質調整量（この例では明度調整量となる）が「＋５０」であることを示している。
【０１１６】
トナー消費率４３３の項目は、プリセット内のトナー消費率である。すなわち、トナー消費率４３３の項目の値は、画質に関する設定項目のうち、明度の値＝「明度＋５０」とし、彩度、コントラスト、色相などの設定項目に対応する値についてはデフォルト設定値とした場合のトナー消費率を示している。
【０１１７】
縮小画像４２０は、画質に関する設定項目のうち、明度の値は設定＝「明度＋５０」とし、彩度、コントラスト、色相などの設定項目に対応する値についてはデフォルト設定値とした場合の当該画質情報に基づき生成された縮小画像を示している。
【０１１８】
なお、プリセット名＝プリセット２、プリセット名＝プリセット３、プリセット名＝プリセット４に対応するプリセット情報も、プリセット名＝プリセット１に対応するプリセット情報と同じデータ構造になっている。
【０１１９】
ユーザは、入力部１０４を操作して、表示部１０５に表示されたプリセット選択画面４００に一覧表示された複数のプリセット情報の中から、縮小画像やトナー消費率が意図するものとなっているプリセット情報の例えばプリセット名や縮小画像を選択し、その後、「ＯＫ」ボタン４４０を押下する。
【０１２０】
このようにして「ＯＫ」ボタン４４０が押下された場合、選択された所望のプリセット情報はＧＵＩ１０３を介して画像処理部１００の選択プリセット取得部１５０に与えられる。
【０１２１】
さて、再度、図５を参照して説明する。ステップＳ１０３を終了した画像処理部１００では、選択プリセット取得部１５０は、プリセット選択画面４００に表示された一つ以上のプリセット情報の中から選択された所望のプリセット情報を取得したか否かに応じて、プリセットの読み込みであるか否かを判断する（ステップＳ１０４）。
【０１２２】
選択プリセット取得部１５０は、ステップＳ１０４において、ＧＵＩ１０３を介して所望のプリセット情報を取得し、プリセットの読み込みであると判断した場合は、プリセット読込部１３０によって読み込まれた全てのプリセットから当該所望のプリセット情報に対応するプリセットを読み込み（ステップＳ１０５）、この読み込んだプリセットを変更部１７０へ出力する。
【０１２３】
また、選択プリセット取得部１５０は、取得したプリセットに対応する画像の画質を調整するための画質調整画面（印刷設定プロパティ）を、ＧＵＩ１０３を介して表示部１０５に表示する。
【０１２４】
例えば、プリセット選択画面４００に表示された複数のプリセット情報の中のプリセット名＝プリセット１のプリセット情報が選択された場合、当該プリセット名＝プリセット１のプリセット情報に対応するプリセットが、選択プリセット取得部１５０によってプリセット読込部１３０によって読み込まれた全てのプリセットの中から読み込まれ、さらに変更部１７０に与えられる。
【０１２５】
また、プリセット名＝プリセット１のプリセット情報に対応するプリセットにかかわる画像の画質を調整するための画質調整画面として、図８に示すような印刷設定プロパティ５００が表示部１０５に表示される。
【０１２６】
図８に示す印刷設定プロパティ（画質調整画面）５００において、符号５１０は上記プリセットにかかわる入力画像を縮小した縮小画像を示し、符号５２０は明度を調整するための明度調整項目を示し、符号５３０はコントラストを調整するためのコントラスト調整項目を示し、符号５４０は彩度を調整するための彩度調整項目を示し、符号５５０はトナー消費率の表示欄を示す。
【０１２７】
ユーザは、明度調整項目５２０のスライドバー５２１を右方向（＋１００の方向）または左方向（−１００の方向）に移動させることにより、明度の値を調整する。この調整後の明度の値が明度値表示欄２２２に表示される。なお、明度の調整範囲は「−１００」〜「＋１００」となっている。スライドバー５２１は、印刷設定プロパティ５００が表示された時点では、プリセット名＝プリセット１のプリセット情報に含まれる設定４３２の項目の調整値（設定＝「明度＋５０」）に基づき、明度の値は「＋５０」（＋５０に相当する部位）に位置するようになっている。
【０１２８】
また、ユーザは、コントラスト調整項目５３０のスライドバー５３１を右方向（＋１００の方向）または左方向（−１００の方向）に移動させることにより、コントラストの値を調整する。この調整後のコントラストの値がコントラスト値表示欄５３２に表示される。なお、このコントラストの調整範囲は「−１００」〜「＋１００」となっている。スライドバー５３１は、印刷設定プロパティ５００が表示された時点ではコントラストの初期設定値に対応してコントラストの調整範囲の中心（値０に相当する部位）に位置するようになっている。
【０１２９】
さらに、ユーザは、彩度調整項目５４０のスライドバー５４１を右方向（＋１００の方向）または左方向（−１００の方向）に移動させることにより、彩度の値を調整する。この調整後の彩度の値が彩度値表示欄５４２に表示される。なお、この彩度の調整範囲は「−１００」〜「＋１００」となっている。スライドバー５４１は、印刷設定プロパティ５００が表示された時点では彩度の初期設定値に対応して彩度の調整範囲の中心（値０に相当する部位）に位置するようになっている。
【０１３０】
トナー消費率の表示欄５５０には、印刷設定プロパティ５００が表示された時点では、明度の値「＋５０」、コントラストの値「０」および彩度の値「０」の場合のトナー消費率の値「７０％」が表示されている。
【０１３１】
なお、トナー消費率の表示欄５５０には、画質調整の結果に応じて変更されるトナー消費率の値が表示されるようになっている。
【０１３２】
さて、ユーザの入力部１０４の操作により、印刷設定プロパティ５００において明度調整項目５２０、コントラスト調整項目５３０および彩度調整項目５４０のうち少なくとも１つの調整項目について画質調整が行われると、その画質調整された調整項目の値がＧＵＩ１０３を介して画像処理部１００の画質調整結果取得部１６０に与えられる。
【０１３３】
画質調整結果取得部１６０は、ＧＵＩ１０３からの画質調整の結果（印刷設定情報の中の画質情報の調整結果）を取得し（ステップＳ１０６）、その画質調整の結果を変更部１７０へ出力する。
【０１３４】
変更部１７０は、画質調整結果取得部１６０からの画質調整の結果に基づき選択プリセット取得部１５０からの特定のプリセットを変更する。
【０１３５】
例えば、変更部１７０では、処理部１７１は、画質調整結果取得部１６０からの画質調整の結果に基づき選択プリセット取得部１５０からの特定のプリセットに含まれる印刷設定情報の中の画質情報（画質に関する設定項目の値）を変更する。画質に関する設定項目の値が変更された変更後の印刷設定情報は、プリセット記憶処理部１９０に与えられる。
【０１３６】
また、変更部１７０では、ＣＭＹＫ画像密度算出部１７２は、上記数２の式を演算することにより、印刷対象のＣＭＹＫの印刷データにかかわる変更後の印刷設定情報を適用した場合の印刷設定適用時のＣＭＹＫ画像密度を算出する（ステップＳ１０７）。
【０１３７】
このようにして算出された印刷設定適用時のＣＭＹＫ画像密度は、トナー消費率算出部１８０およびプリセット記憶処理部１９０に与えられる。
【０１３８】
トナー消費率算出部１８０は、変更部１７０のＣＭＹＫ画像密度算出部１７２からの印刷設定適用時のＣＭＹＫ画像密度と、ＣＭＹＫ画像密度算出部１２６からのデフォルト設定適用時のＣＭＹＫ画像密度とを基に、トナー消費率を算出するとともに、この算出したトナー消費率を、ＧＵＩ１０３を介して表示部１０５に表示する（ステップＳ１０８）。
【０１３９】
上述したようにして算出されたトナー消費率は、プリセット記憶処理部１９０に与えられる。
【０１４０】
表示部１０５に表示されている印刷設定プロパティ５００のトナー消費率の表示欄５５０には、トナー消費率算出部１８０からのトナー消費率の値が表示される。
【０１４１】
画質調整が行われた場合、その画質調整の結果に応じて印刷データが変化するので、トナー消費率（トナー消費量）も変化する。そのため、第１の実施の形態では、画質調整が行われ画質調整後の状態（画質調整の結果）が予め定められた時間継続される毎に、画質調整の結果を基に印刷設定適用時のＣＭＹＫ画像密度を算出し、この印刷設定適用時のＣＭＹＫ画像密度とデフォルト設定適用時のＣＭＹＫ画像密度とを基にトナー消費率を算出し、さらにこのトナー消費率を表示するようにしている。
【０１４２】
そして、ユーザは、トナー消費率の表示欄５５０に表示されるトナー消費率の値、明度調整項目５２０、コントラスト調整項目５３０および彩度調整項目５４０の各調整項目の値を参考にして、所望のトナー消費率や所望の画質であると判断した場合、入力部１０４を操作して、印刷設定プロパティ５００の「ＯＫ」ボタン５６０を押下する。この「ＯＫ」ボタン５６０が押下された旨は、ＧＵＩ１０３を介して画質調整結果取得部１６０に与えられ、さらに画質調整結果取得部１６０から変更部１７０に与えられる。
【０１４３】
ところで、ステップＳ１０８でトナー消費率の表示処理を実行した変更部１７０は、画質調整結果取得部１６０から「ＯＫ」ボタン５６０が押下された旨を取得したか否かに応じて、画質調整が終了したか否かを判断する（ステップＳ１０９）。
【０１４４】
ステップＳ１０９において、変更部１７０によって「ＯＫ」ボタン５６０が押下された旨を取得していないので画質調整は終了していないと判断された場合は、ステップＳ１０６に移行する。
【０１４５】
これに対し、ステップＳ１０９において、変更部１７０によって「ＯＫ」ボタン５６０が押下された旨を取得したので画質調整は終了したと判断された場合は、変更部１７０では、ＣＭＹＫヒストグラム作成部１７３は、印刷対象のＣＭＹＫの印刷データにかかわる変更後の印刷設定情報を適用した場合の印刷設定適用時のＣＭＹＫヒストグラムを作成する（ステップＳ１１０）。このようにして作成された印刷設定適用時のＣＭＹＫヒストグラムは、プリセット記憶処理部１９０に与えられる。
【０１４６】
プリセット記憶処理部１９０は、印刷データ解析情報（縮小画像、画像種類、ＲＧＢ画像密度、ＲＧＢヒストグラム、デフォルト設定適用時のＣＭＹＫ画像密度）、印刷設定情報（変更後の印刷設定情報）、トナー消費量情報（印刷設定適用時のＣＭＹＫ画像密度、印刷設定適用時のＣＭＹＫヒストグラム）、トナー消費率を取得しているので、これら印刷データ解析情報、印刷設定情報、トナー消費量情報およびトナー消費率を記憶対象の一つのプリセットとする。
【０１４７】
次に、プリセット記憶処理部１９０は、上述した記憶対象の一つのプリセットが予め定められた保存する条件に適合するか否かに応じて当該一つのプリセットを保存するべきか否かを判断する（ステップＳ１１１）。
【０１４８】
ここで、予め定められた保存する条件としては、例えば、記憶対象のプリセットとプリセット記憶部１０２に記憶されている比較対象としての全てのプリセットとを比較した場合に、（ａ）２つのプリセットの画像種類が一致しない、（ｂ）２つのプリセットの印刷設定情報の設定値の差分の値が予め定められた第１の値（閾値）を超えている、（ｃ）２つのプリセットのＲＧＢヒストグラムの予め定められた第２の値（閾値）を超えている、などが挙げられる。
【０１４９】
プリセット記憶処理部１９０は、ステップＳ１１１において、上記保存する条件に適合するのでプリセットを保存するべきと判断した場合は、上述した一つのプリセット（印刷データ解析情報、印刷設定情報、トナー消費量情報およびトナー消費率）をプリセット記憶部１０２に記憶する（ステップＳ１１２）。
【０１５０】
なお、上述した一つのプリセットをプリセット記憶部１０２に記憶するに際し、プリセット記憶処理部１９０は、例えば予め定められた規則に従って当該一つのプリセットに対応するプリセット名を生成し、この生成したプリセット名を含む当該一つのプリセットをプリセット記憶部１０２に記憶するようにしてもよい。
【０１５１】
さて、プリセット記憶処理部１９０は、ステップＳ１１１において、上記保存する条件に適合しないのでプリセットを保存するべきではないと判断した場合、ステップＳ１１２を終了した場合、取得している印刷設定情報、および当該印刷設定情報に対応する印刷対象の印刷データを画像出力部２００へ出力する。
【０１５２】
画像出力部２００は、プリセット記憶処理部１９０からの上記印刷データおよび印刷設定情報を印刷ジョブとして、図示しないプリンタに向けて出力して印刷要求を行う（ステップＳ１１３）。
【０１５３】
第１の実施の形態において、プリセット選択画面は、図７に示すプリセット選択画面４００のプリセット選択形式に限定されることなく、図９に示すプリセット選択画面６００のプリセット選択形式とするようにしてもよい。
【０１５４】
図９に示すプリセット選択画面６００では、プリセット名６１０とトナー消費率６２０の各項目が対応するプリセット情報のリストがドロップダウン・メニュー形式で表示され、そのプリセット情報のリストの中から選択されたプリセット情報（プリセット名とトナー消費率）に対応するプリセット内の印刷設定情報に含まれる画質情報（明度、彩度、色相など）に基づく画質の縮小画像（サムネイル）６３０が表示されている。
【０１５５】
この例では、プリセット名＝「標準」とトナー消費率＝「１００％」とが対応し、プリセット名＝「明度調整＋５０」とトナー消費率＝「７０％」とが対応し、プリセット名＝「彩度調整−５０」とトナー消費率＝「４０％」とが対応する。また、縮小画像（サムネイル）６３０は、プリセット名＝「明度調整＋５０」が選択された場合の当該プリセット内の印刷設定情報に含まれる画質情報（明度、彩度、色相など）に基づく画質となっている。
【０１５６】
なお、プリセット名＝「標準」またはプリセット名＝「彩度調整−５０」が選択された場合は、選択されたプリセット名に対応するプリセット内の印刷設定情報に含まれる画質情報（明度、彩度、色相など）に基づく画質となっている縮小画像が表示される。
【０１５７】
ユーザは、入力部１０４を操作して、表示部１０５に表示されたプリセット選択画面６００にドロップダウン・メニュー形式で表示されるプリセット情報（プリセット名とトナー消費率）の中から所望のプリセット情報を選択する。
【０１５８】
すると、プリセット選択画面６００のプリセット選択欄６４０に上記所望のプリセット情報（プリセット名とトナー消費率）が表示されるとともに、プリセット選択画面６００に上記所望のプリセット情報に対応する縮小画像が表示される。そして、ユーザは、表示された縮小画像を確認して、その縮小画像が意図する画質となっていた場合、入力部１０４を操作して「ＯＫ」ボタン６５０を押下する。
【０１５９】
このようにして「ＯＫ」ボタン６５０が押下された場合、選択された所望のプリセット情報はＧＵＩ１０３を介して画像処理部１００の選択プリセット取得部１５０に与えられる。これ以降の処理は上述した処理と同様である。
【０１６０】
本願明細書では、算出した記録材の消費率（トナー消費率）をプリセットの一部としてプリセット記憶部１０２に記憶するようにしているが、これに限定されることなく、プリセット記憶部１０２に記憶されている全てのプリセットのそれぞれに対応する印刷データにかかわる記録材の消費率は、デフォルト設定適用時のＣＭＹＫ画像密度と印刷設定適用時のＣＭＹＫ画像密度とを基に算出するようにしてもよい。
【０１６１】
すなわち、全てのプリセットのそれぞれに対応するトナー消費率を算出するに際し、トナー消費率算出部１８０は、全てのプリセットのそれぞれに対応して、デフォルト設定適用時のＣＭＹＫ画像密度と印刷設定適用時のＣＭＹＫ画像密度とを基にトナー消費率を算出するようにする。
【０１６２】
次に、トナー消費率算出部１８０は、上述したようにして算出した各トナー消費率を、各プリセットに対応してプリセット選択画面に表示されるトナー消費率の項目に表示させるようにする。例えば、図７に示すプリセット選択画面４００ではトナー消費率４３３の項目に対応してトナー消費率が表示され、図９に示すプリセット選択画面６００ではトナー消費率６２０の項目に対応してトナー消費率が表示されることになる。
【０１６３】
次に、画像処理装置１０のハードウェア構成について、図１０を参照して説明する。
【０１６４】
画像処理装置１０は、図１０に示すように、ＣＰＵ１１、記憶装置１２、ＲＯＭ１３、ＲＡＭ１４、入力Ｉ／Ｆ１５Ａ、出力Ｉ／Ｆ１５Ｂ、通信Ｉ／Ｆ１５Ｃ、入力Ｉ／Ｆ１５Ａに接続された入力装置１６、および出力Ｉ／Ｆ１５Ｂに接続された表示装置１７を有している。各構成要素１１〜１４，１５Ａ〜１５Ｃはシステムバス１８に接続されている。
【０１６５】
記憶装置１２は、例えばハードディスクであり、画像処理プログラム１２Ａ、図１に示したＧＵＩ１０３、アプリケーションソフトウェア１０６などインストールされたプログラムを記憶している。
【０１６６】
画像処理プログラム１２Ａは、図１に示した画像処理部１００（構成要素１１０〜２００）の機能を実現するためのソフトウェア（プログラム）、図５に示した印刷設定処理の処理手順に対応するソフトウェア（プログラム）を含んでいる。
【０１６７】
画像処理部１００（構成要素１１０〜２００）の機能には、図３に示した画像解析部１２０の各構成要素１２１〜１２６の各機能、および図４に示した変更部１７０の各構成要素１７１〜１７３の各機能が含まれる。
【０１６８】
なお、画像処理部１００において、実行部１４０は実行処理過程を実行し、プリセット記憶処理部１９０は記憶処理過程を実行する。
【０１６９】
また、記憶装置１２は、図１に示したデフォルト印刷設定情報記憶部１０１およびプリセット記憶部１０２の機能を果たす。
【０１７０】
ＲＯＭ１３は、読み出し専用メモリであり、上記数１で示される式に対応する式情報、上記数２で示される式に対応する式情報、外部の装置と通信するための通信プロトコル情報などを記憶している。
【０１７１】
ＲＡＭ１４は、随時書き込み読み出しメモリであり、記憶装置１２から読み込まれた画像処理プログラム１２Ａを含むプログラム（ＧＵＩ１０３、アプリケーションソフトウェア１０６を含む）や印刷データ、ＲＯＭ１３から読み込まれた式情報、デフォルト印刷設定情報、通信プロトコル情報を記憶する。
【０１７２】
また、ＲＡＭ１４には、画像処理部１００が処理するのに必要な記憶領域（ワークエリア）が割り当てられている。このワークエリアには、画像解析部１２０による解析処理、変更部１７０による変更処理、およびトナー消費率算出部１８０によるトナー消費率の算出処理の各処理の途中結果や最終結果、プリセット読込部１３０によって読み込まれたプリセット、選択プリセット取得部１５０によって取得された特定のプリセット情報およびこれに対応する特定のプリセット、画質調整結果取得部１６０によって取得された画質調整の結果などが記憶される。
【０１７３】
入力Ｉ／Ｆ（入力インタフェース）１５Ａおよび出力Ｉ／Ｆ（出力インタフェース）１５Ｂはそれぞれデータ通信を実行するＣＰＵ（中央演算処理装置）を備え、入力Ｉ／Ｆ１５Ａは入力装置１６とのデータ通信を行い、出力Ｉ／Ｆ１５Ｂは表示装置１７とのデータ通信を行う。入力装置１６は、図１に示した入力部１０４の機能を果たし、表示装置１７は図１に示した表示部１０５の機能を果たす。
【０１７４】
通信Ｉ／Ｆ（通信インタフェース）１５Ｃは、データ通信を実行するＣＰＵ（中央演算処理装置）を備えており、ＲＯＭ１３からＲＡＭ１４へ上記通信プロトコル情報を読み込んで実行することにより、画像形成装置としてのプリンタ９０とのデータ通信を行う。
【０１７５】
ＣＰＵ１１は、中央演算処理装置であり、記憶装置１２からＲＡＭ１４へ、画像処理プログラム１２Ａを含むプログラムを読み込んで実行することにより、上述した画像処理部１００の各構成要素の機能を実現するとともに、画像処理プログラム１２Ａに対応する処理機能を実現する。また、ＣＰＵ１１は画像処理装置１０全体を制御する。
【０１７６】
（第２の実施の形態）
【０１７７】
第２の実施の形態に係わる画像処理装置は、図１に示した第１の実施の形態の画像処理装置（図３に示した画像解析部１２０および図４に示した変更部１７０も含む）と同様の機能構成になっている。
【０１７８】
第２の実施の形態の画像処理部１００による印刷設定処理は、図５に示した第１の実施の形態の印刷設定処理において、ステップＳ１０１からステップＳ１１０までの処理は同じであるものの、ステップＳ１１１からステップＳ１１３までの処理は相違する。
【０１７９】
第２の実施の形態では、ステップＳ１１１からステップＳ１１３までの処理に代替して、次のプリセット保存処理を実施するようになっている。
【０１８０】
次に、画像処理装置１０の画像処理部１００によるプリセット保存処理について、図１１を参照して説明する。
【０１８１】
ステップＳ１０１からステップＳ１１０までの処理を実行した画像処理部１００においては、プリセット記憶処理部１９０は、印刷データ解析情報（縮小画像、画像種類、ＲＧＢ画像密度、ＲＧＢヒストグラム、デフォルト設定適用時のＣＭＹＫ画像密度）、印刷設定情報（変更後の印刷設定情報）、トナー消費量情報（印刷設定適用時のＣＭＹＫ画像密度、印刷設定適用時のＣＭＹＫヒストグラム）、トナー消費率を取得しているので、これら印刷データ解析情報、印刷設定情報、トナー消費量情報およびトナー消費率を記憶対象の一つのプリセットとする。
【０１８２】
次に、プリセット記憶処理部１９０は、例えば予め定められた規則に従って記憶対象の一つのプリセットに対応するプリセット名を生成し（ステップＳ２０１）、その生成したプリセット名を含む記憶対象の一つのプリセットをプリセット記憶部１０２に記憶する（ステップＳ２０２）。
【０１８３】
続いて、プリセット記憶処理部１９０は、上記記憶対象の一つのプリセット内の印刷設定情報、および当該印刷設定情報に対応する印刷対象の印刷データを画像出力部２００へ出力する。画像出力部２００は、プリセット記憶処理部１９０からの上記印刷データおよび印刷設定情報を印刷ジョブとして、図示しないプリンタに向けて出力して印刷要求を行う（ステップＳ２０３）。
【０１８４】
第２の実施の形態では、例えば図７に示したようにプリセット選択画面４００に縮小画像４２０や画像情報４３０が表示されるので、ユーザは、その表示される縮小画像を参照することで、縮小画像が表示されない場合に比較して、よりビジュアルで容易にプリセットの選択が行えるようになる。換言すれば、ユーザは、プリセット選択画面４００に表示される縮小画像や画像情報を参照して、プリセットの選択が行えるので、プリセットの名称を識別する必要はないと言える。
【０１８５】
しかしながら、システム（画像処理部１００）は、プリセットを識別する必要があるので、その識別する情報の一つとしてプリセット名を生成、例えば生成日時（年月日時分秒）や連番などをプリセット名として生成（自動生成）するとともに、この生成したプリセット名を上述した印刷データ解析情報、印刷設定情報、トナー消費量情報およびトナー消費率と関連付けて一つのプリセットとして保存するようにする。
【０１８６】
（第３の実施の形態）
【０１８７】
第３の実施の形態に係わる画像処理装置は、図１に示した第１の実施の形態の画像処理装置１０（図３に示した画像解析部１２０および図４に示した変更部１７０も含む）と同様の機能構成になっている。
【０１８８】
第３の実施の形態の画像処理部１００による印刷設定処理は、図５に示した第１の実施の形態の印刷設定処理において、ステップＳ１０１からステップＳ１１０までの処理は同じであるものの、ステップＳ１１１からステップＳ１１３までの処理は相違する。
【０１８９】
第３の実施の形態では、ステップＳ１１１からステップＳ１１３までの処理に代替して、次のプリセット保存処理を実施するようになっている。
【０１９０】
次に、画像処理装置１０の画像処理部１００によるプリセット保存処理について、図１２を参照して説明する。
【０１９１】
ステップＳ１０１からステップＳ１１０までの処理を実行した画像処理部１００においては、プリセット記憶処理部１９０は、印刷データ解析情報（縮小画像、画像種類、ＲＧＢ画像密度、ＲＧＢヒストグラム、デフォルト設定適用時のＣＭＹＫ画像密度）、印刷設定情報（変更後の印刷設定情報）、トナー消費量情報（印刷設定適用時のＣＭＹＫ画像密度、印刷設定適用時のＣＭＹＫヒストグラム）、トナー消費率を取得しているので、これら印刷データ解析情報、印刷設定情報、トナー消費量情報およびトナー消費率を記憶対象の一つのプリセットとする。
【０１９２】
次に、プリセット記憶処理部１９０は、プリセット読込部１３０によって読み込まれた全てのプリセットを取得し（ステップＳ３０１）、取得した各プリセットをそれぞれ比較対象のプリセットとする。
【０１９３】
プリセット記憶処理部１９０は、記憶対象の一つのプリセットと比較対象の一つのプリセットとについて、前記２つのプリセットの画像種類が一致するか否かを判断し（ステップＳ３０２）、この判断した結果、前記２つの画像種類が一致する場合は、前記２つのプリセットの印刷設定情報の設定値の差分の値が予め定められた第１の値（閾値）以下であるか否かを判断する（ステップＳ３０３）。
【０１９４】
プリセット記憶処理部１９０は、ステップＳ３０３において、上記第１の値（閾値）以下であると判断した場合は、上記２つのプリセットのＲＧＢヒストグラムの差分の値が第２の値（閾値）以下であるか否かを判断し（ステップＳ３０４）、この判断した結果、前記２つのＲＧＢヒストグラムの差分の値が第２の値（閾値）以下である場合は、上記記憶対象の一つのプリセットは比較対象の一つのプリセットとは同じ内容または近似する内容であると判定する。
【０１９５】
ここで、２つのＲＧＢヒストグラムの差分について説明する。
【０１９６】
例えば、Ｒ色の画像＃１に関するヒストグラムおよびＲ色の画像＃２に関するヒストグラムが図１３（ａ）に示すような内容であるとし、またＲ色の画像＃１に関するヒストグラムおよびＲ色の画像＃３に関するヒストグラムが図１３（ｂ）に示すような内容であるとする。
【０１９７】
この場合、Ｒ色の画像に注目した場合、Ｒ色の画像＃１に関するヒストグラムとＲ色の画像＃２に関するヒストグラムとの差分の値は、図１３（ａ）に示すように、点線矢印で示される各階調の差の総和である。
【０１９８】
また、Ｒ色の画像に注目した場合、Ｒ色の画像＃１に関するヒストグラムとＲ色の画像＃３に関するヒストグラムとの差分の値は、図１３（ｂ）に示すように、実線矢印で示される各階調の差の総和である。
【０１９９】
ちなみに、図１３に示す例では、図１３（ｂ）に示す例の２つのヒストグラムの差分の値は図１３（ａ）に示す例の２つのヒストグラムの差分の値よりも小さい。
【０２００】
プリセット記憶処理部１９０は、上述したように２つのヒストグラムの差分の値が第２の閾値以下であるか否かを判断する。
【０２０１】
ところで、プリセット記憶処理部１９０は、比較対象の全てのプリセットについて順次、ステップＳ３０２〜Ｓ３０４の各比較判定処理を実施し、ステップＳ３０２〜Ｓ３０４の各ステップにおいて「ＹＥＳ（肯定）」であると判断した場合、上記記憶対象の一つのプリセットは比較対象の全てのプリセット中の少なくとも一つのプリセットとは同じ内容または近似する内容であると判定する。
【０２０２】
そして、プリセット記憶処理部１９０は、上記記憶対象の一つのプリセットの記憶処理を実施することなく、上記記憶対象の一つのプリセット内の印刷設定情報、および当該印刷設定情報に対応する印刷対象の印刷データを画像出力部２００へ出力する。画像出力部２００は、プリセット記憶処理部１９０からの上記印刷データおよび印刷設定情報を印刷ジョブとして、図示しないプリンタに向けて出力して印刷要求を行う（ステップＳ３０５）。
【０２０３】
また、プリセット記憶処理部１９０は、比較対象の全てのプリセットについて順次、ステップＳ３０２〜Ｓ３０４の各比較判定処理を実施し、比較対象の全てのプリセットに関して、ステップＳ３０２〜Ｓ３０４の各ステップにおいて、ステップＳ３０２において上記２つのプリセットの画像種類が不一致であると判断した場合、ステップＳ３０３において上記２つのプリセットの印刷設定情報の設定値の差分の値が予め定められた第１の値（閾値）を超えていると判断した場合、およびステップＳ３０４において上記２つのプリセットのＲＧＢヒストグラムの差分の値が第２の値（閾値）を超えていると判断した場合、記憶対象の一つのプリセットは比較対象の全てのプリセットとは異なる内容であると判断する。
【０２０４】
すなわち、比較対象の全てのプリセットについてステップＳ３０２〜Ｓ３０４の各比較判定処理の全てが「ＮＯ（否定）」の場合に、記憶対象の一つのプリセットは比較対象の全てのプリセットとは異なる内容であると判断される。
【０２０５】
そして、プリセット記憶処理部１９０は、上述したようにして記憶対象の一つのプリセットと比較対象の全てのプリセットとを比較した結果、記憶対象の一つのプリセットは比較対象のプリセットのそれぞれのとは異なる内容であると判断したときは、例えば予め定められた規則に従って記憶対象の一つのプリセットに対応するプリセット名を生成し（ステップＳ３０６）、その生成したプリセット名を含む記憶対象の一つのプリセットをプリセット記憶部１０２に記憶する（ステップＳ３０７）。
【０２０６】
ステップＳ３０７を終了した後は、ステップＳ３０５に移行する。
【０２０７】
すなわち、プリセット記憶処理部１９０は、プリセット記憶部１０２に記憶されている全てのプリセット（比較対象の全てのプリセット）の中に、記憶対象の一つのプリセットの内容と同じ内容あるいは近似する内容のプリセットが存在する場合には、記憶対象の一つのプリセットについてはプリセット記憶部１０２には記憶しない。これにより、プリセット記憶部１０２に内容が近似するプリセットが重複して記憶されることが抑制される。
【０２０８】
これに対し、プリセット記憶処理部１９０は、プリセット記憶部１０２に記憶されている全てのプリセット（比較対象の全てのプリセット）の中に、記憶対象の一つのプリセットの内容と同じ内容あるいは近似する内容のプリセットが存在しない場合、つまり記憶対象の一つのプリセットの内容が比較対象の全てのプリセットのそれぞれの内容とは異なっている場合は、記憶対象の一つのプリセットをプリセット記憶部１０２に記憶するようにする。
【０２０９】
（第４の実施の形態）
【０２１０】
第４の実施の形態に係わる画像処理装置は、図１に示した第１の実施の形態の画像処理装置１０（図３に示した画像解析部１２０および図４に示した変更部１７０も含む）と同様の機能構成になっている。
【０２１１】
第４の実施の形態の画像処理部１００による印刷設定処理は、図５に示した第１の実施の形態の印刷設定処理において、ステップＳ１０１からステップＳ１１０までの処理は同じであるものの、ステップＳ１１１からステップＳ１１３までの処理は相違する。
【０２１２】
第４の実施の形態では、ステップＳ１１１からステップＳ１１３までの処理に代替して、次のプリセット保存処理を実施するようになっている。
【０２１３】
次に、画像処理装置１０の画像処理部１００によるプリセット保存処理について、図１４を参照して説明する。
【０２１４】
ステップＳ１０１からステップＳ１１０までの処理を実行した画像処理部１００においては、プリセット記憶処理部１９０は、印刷データ解析情報（縮小画像、画像種類、ＲＧＢ画像密度、ＲＧＢヒストグラム、デフォルト設定適用時のＣＭＹＫ画像密度）、印刷設定情報（変更後の印刷設定情報）、トナー消費量情報（印刷設定適用時のＣＭＹＫ画像密度、印刷設定適用時のＣＭＹＫヒストグラム）、トナー消費率を取得しているので、これら印刷データ解析情報、印刷設定情報、トナー消費量情報およびトナー消費率を記憶対象の一つのプリセットとする。
【０２１５】
次に、プリセット記憶処理部１９０は、プリセット読込部１３０によって読み込まれた全てのプリセットを取得し（ステップＳ４０１）、取得した各プリセットをそれぞれ比較対象のプリセットとする。
【０２１６】
プリセット記憶処理部１９０は、記憶対象の一つのプリセットと比較対象の一つのプリセットとについて、前記２つのプリセットの画像種類が一致するか否かを判断し（ステップＳ４０２）、この判断した結果、前記２つの画像種類が一致する場合は、上記２つのプリセットのＲＧＢヒストグラムの差分の値が予め定められた値（閾値）以下であるか否かを判断し（ステップＳ４０３）、この判断した結果、前記２つのＲＧＢヒストグラムの差分の値が上記閾値以下である場合は、「（トナー消費率＝Ｓａｖｅ１）＞（トナー消費率＝Ｓａｖｅ２）」の関係式が成立するか否かを判断する（ステップＳ４０４）。
【０２１７】
ここで、Ｓａｖｅ１は、ステップＳ４０１でプリセット読込部１３０から取得した比較対象のプリセットに含まれているトナー消費率（記憶済みのプリセット）を示す。また、Ｓａｖｅ２は、トナー消費率算出部１３０によって算出されたトナー消費率（記憶対象のプリセットに対応するトナー消費率）を示す。
【０２１８】
プリセット記憶処理部１９０は、ステップＳ４０２において上記２つのプリセットの画像種類が一致すると判断した場合、ステップＳ４０３において上記２つのプリセットのＲＧＢヒストグラムの差分の値が上記閾値以下であると判断した場合、およびステップＳ４０４において上記関係式が成立すると判断した場合、記憶対象の一つのプリセットのトナー消費率は比較対象の一つのプリセットのトナー消費率よりも小さいと判断する。
【０２１９】
プリセット記憶処理部１９０は、比較対象の全てのプリセットについて順次、ステップＳ４０２〜Ｓ４０４の各比較判定処理を実施し、比較対象の全てのプリセットに関して、ステップＳ４０２〜Ｓ４０４の各ステップの全てにおいて「ＹＥＳ（肯定）」であると判断した場合は、記憶対象の一つのプリセットのトナー消費率は比較対象の全てのプリセットのトナー消費率よりも小さいと判断する。
【０２２０】
そして、プリセット記憶処理部１９０は、上述したように記憶対象の一つのプリセットのトナー消費率が比較対象の全てのプリセットのそれぞれのトナー消費率よりも小さいと判断したときは、例えば予め定められた規則に従って記憶対象の一つのプリセットに対応するプリセット名を生成し（ステップＳ４０５）、その生成したプリセット名を含む記憶対象の一つのプリセットをプリセット記憶部１０２に記憶する（ステップＳ４０６）。
【０２２１】
その後、プリセット記憶処理部１９０は、上記記憶対象の一つのプリセット内の印刷設定情報、および当該印刷設定情報に対応する印刷対象の印刷データを画像出力部２００へ出力する。画像出力部２００は、プリセット記憶処理部１９０からの上記印刷データおよび印刷設定情報を印刷ジョブとして、図示しないプリンタに向けて出力して印刷要求を行う（ステップＳ４０７）。
【０２２２】
なお、ステップＳ４０２において上記２つのプリセットの画像種類が不一致であると判断された場合、ステップＳ４０３において上記２つのプリセットのＲＧＢヒストグラムの差分の値が上記閾値を超えていると判断された場合、またはステップＳ４０４において上記関係式が不成立であると判断された場合は、ステップＳ４０７に移行する。
【０２２３】
すなわち、プリセット記憶処理部１９０は、記憶対象の一つのプリセットのトナー消費率が、プリセット記憶部１０２に記憶されている全てのプリセット（比較対象の全てのプリセット）のそれぞれのトナー消費率に比較して小さい場合に、当該記憶対象の一つのプリセットのトナー消費率をプリセット記憶部１０２に記憶するようにする。
【０２２４】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０２２５】
また、プログラムを用いる場合には、ネットワークを介して提供し、或いはＣＤ−ＲＯＭ等の記憶媒体に格納して提供してもよい。
【０２２６】
すなわち、画像処理プログラムを含むプログラムをハードディスク等の記憶装置に記録する場合に限らず、当該プログラムを次のようにして提供してもよい。
【０２２７】
たとえば、プログラムをＲＯＭに格納しておき、ＣＰＵが、このプログラムをこのＲＯＭから主記憶装置へローディングして実行するようにしてもよい。
【０２２８】
また、上記プログラムを、ＤＶＤ−ＲＯＭ、ＣＤ−ＲＯＭ、ＭＯ（光磁気ディスク）、フレキシブルディスク、などのコンピュータ読み取りされる記憶媒体に格納して配布するようにしてもよい。
【０２２９】
さらには、画像処理装置等を通信回線（例えばインターネット）を介してサーバ装置あるいはホストコンピュータと接続するようにし、サーバ装置あるいはホストコンピュータから上記プログラムをダウンロードした後、このプログラムを実行するようにしてもよい。この場合、このプログラムのダウンロード先としては、ＲＡＭ等のメモリやハードディスクなどの記憶装置（記憶媒体）が挙げられる。
【産業上の利用可能性】
【０２３０】
本発明の画像処理装置は、トナーで画像を形成する画像形成装置（電子写真プロセス方式の画像形成装置）、あるいはインクで画像を形成する画像形成装置（インクジェット方式の画像形成装置）に向けて印刷データを送信する画像処理装置に適用してもよい。
【符号の説明】
【０２３１】
１０  画像処理装置
１１  ＣＰＵ
１２  記憶装置
１２Ａ  画像処理プログラム
１３  ＲＯＭ
１４  ＲＡＭ
１６  入力装置
１７  表示装置
１００  画像処理部
１０１  デフォルト印刷設定情報記憶部
１０２  プリセット記憶部
１１０  データ読込部
１２０  画像解析部
１２１  処理部
１２２  縮小画像生成部
１２３  画像種類判別部
１２４  ＲＧＢ画像密度算出部
１２５  ＲＧＢヒストグラム作成部
１２６  ＣＭＹＫ画像密度算出部
１３０  プリセット読込部
１４０  実行部
１５０  選択プリセット取得部
１６０  画質調整結果取得部
１７０  変更部
１７１  処理部
１７２  ＣＭＹＫ画像密度算出部
１７３  ＣＭＹＫヒストグラム作成部
１８０  トナー消費率算出部
１９０  プリセット記憶処理部
３００  印刷設定プロパティ
４００，６００  プリセット選択画面
５００  画質調整画面（印刷設定プロパティ）
【図１】
0005553139.tif 000004
【図２】
0005553139.tif 000005
【図３】
0005553139.tif 000006
【図４】
0005553139.tif 000007
【図５】
0005553139.tif 000008
【図６】
0005553139.tif 000009
【図７】
0005553139.tif 000010
【図８】
0005553139.tif 000011
【図９】
0005553139.tif 000012
【図１０】
0005553139.tif 000013
【図１１】
0005553139.tif 000014
【図１２】
0005553139.tif 000015
【図１３】
0005553139.tif 000016
【図１４】
0005553139.tif 000017